(57)【特許請求の範囲】
【請求項１】
同音異字単語が存在するとき、自動発話認識（ＡＳＲ）を実行するための方法であって、
前記方法は、
ユーザから、複数の発話を含む口頭入力を受信することと、
前記複数の発話のうちの第１の発話を第１の単語に合致させることと、
前記複数の発話のうちの第２の発話が同一同音異字セット内の複数の単語に合致することを判定することと、
単語間の関係の知識グラフを記憶することであって、前記知識グラフ内の単語間の距離は、前記単語間の関係の強度を示す、ことと、
前記複数の単語のうちのどれが前記第１の単語のコンテキストと関連付けられるかを識別することであって、前記複数の単語のうちのどれが前記第１の単語のコンテキストと関連付けられるかを識別することは、
前記知識グラフ内の第１の単語の位置および前記複数の単語のそれぞれの位置を識別することと、
前記識別された位置に基づいて、前記第１の単語と前記複数の単語のそれぞれとの間の距離を算出することと、
前記複数の単語のうちの識別された単語として、前記複数の単語のうち、前記第１の単語までの算出された最短距離を有する単語を選択することと
によって行われる、ことと、
前記第１の単語と前記複数の単語のうちの前記識別された単語とに基づいて、機能を実行することと
を含む、方法。
【請求項２】
前記第１の単語は、スポーツイベント内の競技者の名前であり、
前記コンテキストを前記スポーツイベントとして設定することと、
前記複数の単語のうちのどれが前記スポーツイベントに対応するかを判定することであって、前記複数の単語のうちの前記識別された単語は、前記スポーツイベント内の別の競技者に対応する、ことと
をさらに含む、請求項１に記載の方法。
【請求項３】
同一同音異字セット内の前記複数の単語は、相互に音声学的に類似する、請求項１に記載の方法。
【請求項４】
前記第１の単語と前記複数の単語のうちの前記識別された単語とに基づいて、推奨を生成することをさらに含む、請求項１に記載の方法。
【請求項５】
前記複数の発話のうちの前記第１の発話を前記第１の単語に合致させることは、前記第１の発話が前記第１の単語に音声学的に対応することを判定することを含む、請求項１に記載の方法。
【請求項６】
前記第１の単語は、メディアアセット内の俳優の名前であり、
前記コンテキストを前記メディアアセットとして設定することと、
前記複数の単語のうちのどれが前記メディアアセットに対応するかを判定することであって、前記複数の単語のうちの前記識別された単語は、前記メディアアセット内の別の俳優に対応する、ことと
をさらに含む、請求項１に記載の方法。
【請求項７】
前記複数の発話のうちの２つの発話の間の前置詞に基づいて、前記コンテキストを判定することをさらに含む、請求項１に記載の方法。
【請求項８】
前記機能を実行することは、前記第１の単語と前記複数の単語のうちの前記識別された単語とに対応するメディアアセット上でメディアガイドアプリケーション機能を実行することを含む、請求項１に記載の方法。
【請求項９】
発話認識エラーを自動的に補正するためのシステムであって、
前記システムは、制御回路を備え、
前記制御回路は、
ユーザから、複数の発話を含む口頭入力を受信することと、
前記複数の発話のうちの第１の発話を第１の単語に合致させることと、
前記複数の発話のうちの第２の発話が同一同音異字セット内の複数の単語に合致することを判定することと、
単語間の関係の知識グラフを記憶することであって、前記知識グラフ内の単語間の距離は、前記単語間の関係の強度を示す、ことと、
前記複数の単語のうちのどれが前記第１の単語のコンテキストと関連付けられるかを識別することであって、前記複数の単語のうちのどれが前記第１の単語のコンテキストと関連付けられるかを識別することは、
前記知識グラフ内の第１の単語の位置および前記複数の単語のそれぞれの位置を識別することと、
前記識別された位置に基づいて、前記第１の単語と前記複数の単語のそれぞれとの間の距離を算出することと、
前記複数の単語のうちの識別された単語として、前記複数の単語のうち、前記第１の単語までの算出された最短距離を有する単語を選択することと
によって行われる、ことと、
前記第１の単語と前記複数の単語のうちの前記識別された単語とに基づいて、機能を実行することと
を行うように構成されている、システム。
【請求項１０】
前記第１の単語は、スポーツイベント内の競技者の名前であり、
前記制御回路は、
前記コンテキストを前記スポーツイベントとして設定することと、
前記複数の単語のうちのどれが前記スポーツイベントに対応するかを判定することであって、前記複数の単語のうちの前記識別された単語は、前記スポーツイベント内の別の競技者に対応する、ことと、
を行うようにさらに構成されている、請求項９に記載のシステム。
【請求項１１】
同一同音異字セット内の前記複数の単語は、相互に音声学的に類似する、請求項９に記載のシステム。
【請求項１２】
前記制御回路は、前記第１の単語と前記複数の単語のうちの前記識別された単語とに基づいて、推奨を生成するようにさらに構成されている、請求項９に記載のシステム。
【請求項１３】
前記制御回路は、前記第１の発話が前記第１の単語に音声学的に対応することを判定することによって、前記複数の発話のうちの前記第１の発話を前記第１の単語に合致させるようにさらに構成されている、請求項９に記載のシステム。
【請求項１４】
前記第１の単語は、メディアアセット内の俳優の名前であり、
前記制御回路は、
前記コンテキストを前記メディアアセットとして設定することと、
前記複数の単語のうちのどれが前記メディアアセットに対応するかを判定することであって、前記複数の単語のうちの前記識別された単語は、前記メディアアセット内の別の俳優に対応する、ことと、
を行うようにさらに構成されている、請求項９に記載のシステム。
【請求項１５】
前記制御回路は、前記複数の発話のうちの２つの発話の間の前置詞に基づいて、前記コンテキストを判定するようにさらに構成されている、請求項９に記載のシステム。
【請求項１６】
前記制御回路は、前記第１の単語と前記複数の単語のうちの前記識別された単語とに対応するメディアアセット上でメディアガイドアプリケーション機能を実行することによって、前記機能を実行するようにさらに構成されている、請求項９に記載のシステム。
【発明の詳細な説明】
【技術分野】
【０００１】
関連出願の相互参照
本願は、２０１４年７月３１日に出願された米国実用特許出願第１４／４４８，３０８号に対する優先権およびその利益を主張するものであり、該米国実用特許出願は、参照により本明細書中に援用される。
【背景技術】
【０００２】
従来の自動発話認識（ＡＳＲ）システムは、典型的には、発話をテキストに変換する際に良好に機能する。しかしながら、ある場合には、同一発話音は、異なる意味を伴う異なる単語にマップされる。これらのタイプの単語は、一般に、同音異字として知られる。これらの状況では、従来のＡＳＲシステムは、ランダムに、またはどの単語を使用すべきかを明確にするためのユーザから入力された要求に応じてのいずれかにおいて、受信された発話に合致する単語のうちの１つを選定するであろう。これは、ユーザに誤った出力または苛立ちのいずれかをもたらす。
【発明の概要】
【課題を解決するための手段】
【０００３】
故に、同音異字の存在下でＡＳＲを行うための方法およびシステムが、本明細書に開示される。
【０００４】
いくつかの実施形態では、口頭入力は、複数の発話を含め、ユーザから受信される。複数の発話のうちの第１のものは、第１の単語に合致される。いくつかの実施形態では、第１の発話は、音素シーケンスにエンコードされ、ＩＰＡを使用して表される。音素シーケンスは、音素シーケンスのデータベースと相互参照され、音素シーケンスに合致する第１の単語を識別する。
【０００５】
いくつかの実施形態では、複数の発話内の第２の発話が同一同音異字セット内の複数の単語に合致するという判定が、行われる。特に、同一同音異字セット内の複数の単語は、相互に音声学的に類似し得る。いくつかの実施形態では、第２の発話は、音素シーケンスにエンコードされ、ＩＰＡを使用して表される。音素シーケンスは、音素シーケンスのデータベースと相互参照され、音素シーケンスに合致する複数の単語を識別する。複数の単語が同一音素シーケンスに合致することの判定に応答して、第１の単語のコンテキストが、判定される。システムは、次いで、第２の音素シーケンスに合致する複数の単語のうちのどれが第１の単語のコンテキストと関連付けられるかを識別する。機能は、第１の単語および複数の単語のうちの識別されたものに基づいて行われる。例えば、検索は、第１の単語および第１の単語と同一または類似コンテキストを有する第２のシーケンスに合致する単語のうちの１つのみを使用して行われる。
【０００６】
いくつかの実施形態では、単語間の関係の知識グラフが、記憶される。知識グラフ内の単語間の距離は、単語間の関係内の強度を示し得る。コンテキストに合致する複数の単語のうちの１つが、同音異字セット内の複数の単語のそれぞれと知識グラフ内の第１の単語との間の距離に基づいて判定される。いくつかの実装では、知識グラフ内の第１の単語の位置および複数の単語のそれぞれが、識別される。第１の単語と複数の単語のそれぞれとの間の距離は、識別された位置に基づいて算出される。算出された第１の単語までの最短距離を有する複数のもの内の単語は、複数の単語のうちの識別されたものとして選択される。
【０００７】
いくつかの実施形態では、第１の単語は、スポーツイベント内の競技者の名前であってもよい。そのような場合、第１の単語のコンテキストは、スポーツイベントに設定され得る。複数の単語のうちのどれがスポーツイベントに対応するかに関して判定が行われ、複数の単語のうちの識別されたものは、スポーツイベント内の別の競技者（例えば、別のチーム）に対応する。
【０００８】
いくつかの実施形態では、第１の単語は、メディアアセット内の俳優の名前であってもよい。コンテキストは、メディアアセットに設定され得る。複数の単語のうちのどれがメディアアセットに対応するかに関する判定が行われ、複数の単語のうちの識別されたものは、メディアアセット内の別の俳優に対応する。
【０００９】
いくつかの実施形態では、コンテキストは、複数の発話のうちの２つのものの間の前置詞に基づいて判定されてもよい。例えば、ユーザが、２つの単語間の前置詞として、語句内で単語「ｖ．」を発話する場合、コンテキストは、ｖ．が「対（ｖｅｒｓｕｓ）」を表す、スポーツイベントであることが判定され得る。
【００１０】
前述のシステムおよび／または方法は、他のシステム、方法、および／または装置に適用され、もしくはそれらに従って使用され得ることに留意されたい。
本発明は、例えば、以下を提供する。
（項目１）
同音異字単語が存在するとき、自動発話認識（ＡＳＲ）を行うための方法であって、
前記方法は、
ユーザから、複数の発話を備える口頭入力を受信するステップと、
前記複数の発話のうちの第１のものを第１の単語に合致させるステップと、
前記複数の発話内の第２の発話が同一同音異字セット内の複数の単語に合致することを判定するステップと、
前記複数の単語のうちのどれが前記第１の単語のコンテキストと関連付けられるかを識別するステップと、
前記第１の単語および前記複数の単語のうちの識別されたものに基づいて、機能を行うステップと、
を含む、方法。
（項目２）
単語間の関係の知識グラフを記憶するステップであって、前記知識グラフ内の単語間の距離は、前記単語間の関係内の強度を示す、ステップと、
前記知識グラフ内の前記複数の単語のそれぞれと第１の単語との間の距離に基づいて、前記複数の単語のうちの１つを識別するステップと、
をさらに含む、項目１に記載の方法。
（項目３）
前記知識グラフ内の第１の単語および前記複数の単語のそれぞれの位置を識別するステップと、
前記識別された位置に基づいて、前記第１の単語と前記複数の単語のそれぞれとの間の距離を算出するステップと、
前記複数の単語のうちの識別されたものとして、前記第１の単語までの算出された最短距離を有する前記複数のもの内の単語を選択するステップと、
をさらに含む、項目２に記載の方法。
（項目４）
前記第１の単語は、スポーツイベント内の競技者の名前であり、
前記コンテキストを前記スポーツイベントとして設定するステップと、
前記複数の単語のうちのどれが前記スポーツイベントに対応するかを判定するステップであって、前記複数の単語のうちの識別されたものは、前記スポーツイベント内の別の競技者に対応する、ステップと、
をさらに含む、項目１に記載の方法。
（項目５）
同一同音異字セット内の前記複数の単語は、相互に音声学的に類似する、項目１に記載の方法。
（項目６）
前記第１の単語および前記複数の単語のうちの識別されたものに基づいて、推奨を生成するステップをさらに含む、項目１に記載の方法。
（項目７）
前記複数の発話のうちの第１のものを前記第１の単語に合致させるステップは、前記第１の発話が前記第１の単語に音声学的に対応することを判定するステップを含む、項目１に記載の方法。
（項目８）
前記単語は、メディアアセット内の俳優の名前であり、
前記コンテキストを前記メディアアセットとして設定するステップと、
前記複数の単語のうちのどれが前記メディアアセットに対応するかを判定するステップであって、前記複数の単語のうちの識別されたものは、前記メディアアセット内の別の俳優に対応する、ステップと、
をさらに含む、項目１に記載の方法。
（項目９）
前記複数の発話のうちの２つのもの間の前置詞に基づいて、前記コンテキストを判定するステップをさらに含む、項目１に記載の方法。
（項目１０）
前記機能を行うステップは、前記第１の単語および前記複数の単語のうちの識別されたものに対応するメディアアセット上でメディアガイドアプリケーション機能を行うステップを含む、項目１に記載の方法。
（項目１１）
発話認識エラーを自動的に補正するためのシステムであって、
前記システムは、制御回路を備え、
前記制御回路は、
ユーザから、複数の発話を備える口頭入力を受信することと、
前記複数の発話のうちの第１のものを第１の単語に合致させることと、
前記複数の発話内の第２の発話が同一同音異字セット内の複数の単語に合致することを判定することと、
前記複数の単語のうちのどれが前記第１の単語のコンテキストと関連付けられるかを識別することと、
前記第１の単語および前記複数の単語のうちの識別されたものに基づいて、機能を行うことと
を行うように構成される、システム。
（項目１２）
前記制御回路はさらに、
単語間の関係の知識グラフを記憶することであって、前記知識グラフ内の単語間の距離は、前記単語間の関係内の強度を示す、ことと、
前記知識グラフ内の前記複数の単語のそれぞれと第１の単語との間の距離に基づいて、前記複数の単語のうちの１つを識別することと、
を行うように構成される、項目１１に記載のシステム。
（項目１３）
前記制御回路はさらに、
前記知識グラフ内の第１の単語および前記複数の単語のそれぞれの位置を識別することと、
前記識別された位置に基づいて、前記第１の単語と前記複数の単語のそれぞれとの間の距離を算出することと、
前記複数の単語のうちの識別されたものとして、前記第１の単語までの算出された最短距離を有する前記複数のもの内の単語を選択することと、
を行うように構成される、項目１２に記載のシステム。
（項目１４）
前記第１の単語は、スポーツイベント内の競技者の名前であり、前記制御回路はさらに、
前記コンテキストを前記スポーツイベントとして設定することと、
前記複数の単語のうちのどれが前記スポーツイベントに対応するかを判定することであって、前記複数の単語のうちの識別されたものは、前記スポーツイベント内の別の競技者に対応する、ことと、
を行うように構成される、項目１１に記載のシステム。
（項目１５）
同一同音異字セット内の前記複数の単語は、相互に音声学的に類似する、項目１１に記載のシステム。
（項目１６）
前記制御回路はさらに、前記第１の単語および前記複数の単語のうちの識別されたものに基づいて、推奨を生成するように構成される、項目１１に記載のシステム。
（項目１７）
前記制御回路はさらに、前記第１の発話が前記第１の単語に音声学的に対応することを判定することによって、前記複数の発話のうちの第１のものを前記第１の単語に合致させるように構成される、項目１１に記載のシステム。
（項目１８）
前記第１の単語は、メディアアセット内の俳優の名前であり、前記制御回路はさらに、
前記コンテキストを前記メディアアセットとして設定することと、
前記複数の単語のうちのどれが前記メディアアセットに対応するかを判定することであって、前記複数の単語のうちの識別されたものは、前記メディアアセット内の別の俳優に対応する、ことと、
を行うように構成される、項目１１に記載のシステム。
（項目１９）
前記制御回路はさらに、前記複数の発話のうちの２つのもの間の前置詞に基づいて、前記コンテキストを判定するように構成される、項目１１に記載のシステム。
（項目２０）
前記制御回路はさらに、前記第１の単語および前記複数の単語のうちの識別されたものに対応するメディアアセット上でメディアガイドアプリケーション機能を行うことによって、前記機能を行うように構成される、項目１に記載のシステム。
（項目２１）
発話認識エラーを自動的に補正するための装置であって、
前記装置は、
ユーザから、複数の発話を備える口頭入力を受信するための手段と、
前記複数の発話のうちの第１のものを第１の単語に合致させるための手段と、
前記複数の発話内の第２の発話が同一同音異字セット内の複数の単語に合致することを判定するための手段と、
前記複数の単語のうちのどれが前記第１の単語のコンテキストと関連付けられるかを識別するための手段と、
前記第１の単語および前記複数の単語のうちの識別されたものに基づいて、機能を行うための手段と、
を備える、装置。
（項目２２）
単語間の関係の知識グラフを記憶するための手段であって、前記知識グラフ内の単語間の距離は、前記単語間の関係内の強度を示す、手段と、
前記知識グラフ内の前記複数の単語のそれぞれと第１の単語との間の距離に基づいて、前記複数の単語のうちの１つを識別するための手段と、
をさらに備える、項目２１に記載の装置。
（項目２３）
前記知識グラフ内の第１の単語および前記複数の単語のそれぞれの位置を識別するための手段と、
前記識別された位置に基づいて、前記第１の単語と前記複数の単語のそれぞれとの間の距離を算出するための手段と、
前記複数の単語のうちの識別されたものとして、前記第１の単語までの算出された最短距離を有する前記複数のもの内の単語を選択するための手段と、
をさらに備える、項目２２に記載の装置。
（項目２４）
前記第１の単語は、スポーツイベント内の競技者の名前であり、
前記コンテキストを前記スポーツイベントとして設定するための手段と、
前記複数の単語のうちのどれが前記スポーツイベントに対応するかを判定するための手段であって、前記複数の単語のうちの識別されたものは、前記スポーツイベント内の別の競技者に対応する、手段と、
をさらに備える、項目２１に記載の装置。
（項目２５）
同一同音異字セット内の前記複数の単語は、相互に音声学的に類似する、項目２１に記載の装置。
（項目２６）
前記第１の単語および前記複数の単語のうちの識別されたものに基づいて、推奨を生成するための手段をさらに備える、項目２１に記載の装置。
（項目２７）
前記複数の発話のうちの第１のものを前記第１の単語に合致させるための手段は、前記第１の発話が前記第１の単語に音声学的に対応することを判定するための手段を備える、項目２１に記載の装置。
（項目２８）
前記第１の単語は、メディアアセット内の俳優の名前であり、
前記コンテキストを前記メディアアセットとして設定するための手段と、
前記複数の単語のうちのどれが前記メディアアセットに対応するかを判定するための手段であって、前記複数の単語のうちの識別されたものは、前記メディアアセット内の別の俳優に対応する、手段と、
をさらに備える、項目２１に記載の装置。
（項目２９）
前記複数の発話のうちの２つのもの間の前置詞に基づいて、前記コンテキストを判定するための手段をさらに備える、項目２１に記載の装置。
（項目３０）
前記機能を行うための手段は、前記第１の単語および前記複数の単語のうちの識別されたものに対応するメディアアセット上でメディアガイドアプリケーション機能を行うための手段を備える、項目２１に記載の装置。
（項目３１）
方法であって、
ユーザから、複数の発話を備える口頭入力を受信するステップと、
前記複数の発話のうちの第１のものを第１の単語に合致させるステップと、
前記複数の発話内の第２の発話が同一同音異字セット内の複数の単語に合致することを判定するステップと、
前記複数の単語のうちのどれが前記第１の単語のコンテキストと関連付けられるかを識別するステップと、
前記第１の単語および前記複数の単語のうちの識別されたものに基づいて、機能を行うステップと、
を含む、方法。
（項目３２）
単語間の関係の知識グラフを記憶するステップであって、前記知識グラフ内の単語間の距離は、前記単語間の関係内の強度を示す、ステップと、
前記知識グラフ内の前記複数の単語のそれぞれと第１の単語との間の距離に基づいて、前記複数の単語のうちの１つを識別するステップと、
をさらに含む、項目３１に記載の方法。
（項目３３）
前記知識グラフ内の第１の単語および前記複数の単語のそれぞれの位置を識別するステップと、
前記識別された位置に基づいて、前記第１の単語と前記複数の単語のそれぞれとの間の距離を算出するステップと、
前記複数の単語のうちの識別されたものとして、前記第１の単語までの算出された最短距離を有する前記複数のもの内の単語を選択するステップと、
をさらに含む、項目３２に記載の方法。
（項目３４）
前記第１の単語は、スポーツイベント内の競技者の名前であり、
前記コンテキストを前記スポーツイベントとして設定するステップと、
前記複数の単語のうちのどれが前記スポーツイベントに対応するかを判定するステップであって、前記複数の単語のうちの識別されたものは、前記スポーツイベント内の別の競技者に対応する、ステップと、
をさらに含む、項目３１−３３のいずれかに記載の方法。
（項目３５）
同一同音異字セット内の前記複数の単語は、相互に音声学的に類似する、項目３１−３４のいずれかに記載の方法。
（項目３６）
前記第１の単語および前記複数の単語のうちの識別されたものに基づいて、推奨を生成するステップをさらに含む、項目３１−３５のいずれかに記載の方法。
（項目３７）
前記複数の発話のうちの第１のものを前記第１の単語に合致させるステップは、前記第１の発話が前記第１の単語に音声学的に対応することを判定するステップを含む、項目３１−３６のいずれかに記載の方法。
（項目３８）
前記第１の単語は、メディアアセット内の俳優の名前であり、
前記コンテキストを前記メディアアセットとして設定するステップと、
前記複数の単語のうちのどれが前記メディアアセットに対応するかを判定するステップであって、前記複数の単語のうちの識別されたものは、前記メディアアセット内の別の俳優に対応する、ステップと、
をさらに含む、項目３１−３７のいずれかに記載の方法。
（項目３９）
前記複数の発話のうちの２つのもの間の前置詞に基づいて、前記コンテキストを判定するステップをさらに含む、項目３１−３８のいずれかに記載の方法。
（項目４０）
前記機能を行うステップは、前記第１の単語および前記複数の単語のうちの識別されたものに対応するメディアアセット上でメディアガイドアプリケーション機能を行うステップを含む、項目３１−３９のいずれかに記載の方法。
（項目４１）
コンピュータ可読命令を備える、発話認識エラーを自動的に補正するための非一過性コンピュータ可読媒体であって、前記コンピュータ可読命令は、
ユーザから、複数の発話を備える口頭入力を受信するための命令と、
前記複数の発話のうちの第１のものを第１の単語に合致させるための命令と、
前記複数の発話内の第２の発話が同一同音異字セット内の複数の単語に合致することを判定するための命令と、
前記複数の単語のうちのどれが前記第１の単語のコンテキストと関連付けられるかを識別するための命令と、
前記第１の単語および前記複数の単語のうちの識別されたものに基づいて、機能を行うための命令と、
を備える、非一過性コンピュータ可読媒体。
（項目４２）
単語間の関係の知識グラフを記憶するための命令であって、前記知識グラフ内の単語間の距離は、前記単語間の関係内の強度を示す、命令と、
前記知識グラフ内の前記複数の単語のそれぞれと第１の単語との間の距離に基づいて、前記複数の単語のうちの１つを識別するための命令と、
をさらに備える、項目４１に記載の非一過性コンピュータ可読媒体。
（項目４３）
前記知識グラフ内の第１の単語および前記複数の単語のそれぞれの位置を識別するための命令と、
前記識別された位置に基づいて、前記第１の単語と前記複数の単語のそれぞれとの間の距離を算出するための命令と、
前記複数の単語のうちの識別されたものとして、前記第１の単語までの算出された最短距離を有する前記複数のもの内の単語を選択するための命令と、
をさらに備える、項目４２に記載の非一過性コンピュータ可読媒体。
（項目４４）
前記第１の単語は、スポーツイベント内の競技者の名前であり、
前記コンテキストを前記スポーツイベントとして設定するための命令と、
前記複数の単語のうちのどれが前記スポーツイベントに対応するかを判定するための命令であって、前記複数の単語のうちの識別されたものは、前記スポーツイベント内の別の競技者に対応する、命令と、
をさらに備える、項目４１に記載の非一過性コンピュータ可読媒体。
（項目４５）
同一同音異字セット内の前記複数の単語は、相互に音声学的に類似する、項目４１に記載の非一過性コンピュータ可読媒体。
（項目４６）
前記第１の単語および前記複数の単語のうちの識別されたものに基づいて、推奨を生成するための命令をさらに含む、項目４１に記載の方法。
（項目４７）
前記複数の発話のうちの第１のものを前記第１の単語に合致させるための命令は、前記第１の発話が前記第１の単語に音声学的に対応することを判定するための命令を備える、項目４１に記載の非一過性コンピュータ可読媒体。
（項目４８）
前記第１の単語は、メディアアセット内の俳優の名前であり、
前記コンテキストを前記メディアアセットとして設定するための命令と、
前記複数の単語のうちのどれが前記メディアアセットに対応するかを判定するための命令であって、前記複数の単語のうちの識別されたものは、前記メディアアセット内の別の俳優に対応する、命令と、
をさらに備える、項目４１に記載の非一過性コンピュータ可読媒体。
（項目４９）
前記複数の発話のうちの２つのもの間の前置詞に基づいて、前記コンテキストを判定するための命令をさらに備える、項目４１に記載の非一過性コンピュータ可読媒体。
（項目５０）
前記機能を行うための命令は、前記第１の単語および前記複数の単語のうちの識別されたものに対応するメディアアセット上でメディアガイドアプリケーション機能を行うための命令を備える、項目４１に記載の非一過性コンピュータ可読媒体。
【図面の簡単な説明】
【００１１】
本開示の上記および他の目的ならびに利点は、類似参照文字が全体を通して類似部品を指す、添付図面と併せて解釈される、以下の詳細な説明を考慮することによって明白となるであろう。
【図１】図１および２は、本発明のある実施形態による、メディアガイドアプリケーション一覧を提供するために使用され得る、例証的ディスプレイ画面を示す。
【図２】図１および２は、本発明のある実施形態による、メディアガイドアプリケーション一覧を提供するために使用され得る、例証的ディスプレイ画面を示す。
【図３】図３は、本開示のいくつかの実施形態による、例証的ユーザ機器デバイスのブロック図である。
【図４】図４は、本開示のいくつかの実施形態による、例証的メディアシステムのブロック図である。
【図５】図５は、本開示のいくつかの実施形態による、例証的知識グラフを示す。
【図６】図６は、本開示のいくつかの実施形態による、音素シーケンスと同音異字を関連付けるための例証的データベースを示す。
【図７】図７は、本開示のいくつかの実施形態による、同音異字の存在下でＡＳＲを行うためのプロセスの略図である。
【発明を実施するための形態】
【００１２】
同音異字の存在下でＡＳＲを行うための方法およびシステムが、本明細書に開示される。特に、複数の発話が、ユーザから受信され得る。発話は、音素シーケンスを使用して表され得る。ある場合には、特定の音素シーケンスは、複数の単語に合致し得る。これらの単語は、同一同音異字セット内にあり得る。同音異字セット内の単語の第１の単語は、知識グラフ内で第１の単語が第２の単語にどれだけ近いかまたは遠いかに基づいて、受信された発話内に検出される第２の単語とともに処理するために選択され得る。本開示は、ＩＰＡ音声学的エンコーディングを参照して論じられるが、任意の他のタイプの音声学的エンコーディングまたは表現システムも、使用されることができる（例えば、ＳＡＭＰＡ、Ｘ−ＳＡＭＰＡ、Ａｒｐａｂｅｔ、ｅｘｔｌＰＡ、Ｋｉｒｓｈｅｎｂａｕｍ等）。
【００１３】
例えば、２つの単語が同一同音異字セット内にある場合、システムは、別の受信される単語とともに処理するために、別の受信される単語により密接に関連する、セット内の単語を選択してもよい。具体的には、ユーザが、チームＤｕｋｅとＵｃｏｎｎとの間のバスケットボールの試合を検索している場合、ユーザは、語句「Ｄｕｋｅ  ｖ．  Ｕｃｏｎｎ」を発話し得る。システムは、発話「Ｕｃｏｎｎ」のための音素シーケンスが２つの単語（例えば、ＵｃｏｎｎおよびＹｕｋｏｎ）に合致することを判定し得る。システムは、Ｕｃｏｎｎ（すなわち、バスケットボールチーム）がＹｕｋｏｎ（すなわち、川）よりＤｕｋｅ（すなわち、他の受信される発話）により密接することを前提として、Ｙｕｋｏｎの代わりに、単語Ｕｃｏｎｎを選択する。
【００１４】
メディアアセットまたはコンテンツを参照すると、任意の所与のコンテンツ配信システムでユーザに利用可能なコンテンツの量が、膨大であり得る。その結果、多くのユーザは、ユーザがコンテンツのオプションを効率的にナビゲートし、所望し得るコンテンツを容易に識別することを可能にする、インターフェースを通したメディアガイドの形態を所望している。そのようなガイドを提供するアプリケーションは、本明細書では、双方向メディアガイドアプリケーションと称されるが、メディアガイドアプリケーションまたはガイドアプリケーションと称されることもある。
【００１５】
双方向メディアガイドアプリケーションは、ガイドを提供するコンテンツに応じて、種々の形態をとってもよい。典型的なタイプのメディアガイドアプリケーションの１つは、双方向テレビ番組ガイドである。双方向テレビ番組ガイド（電子番組ガイドと称される場合もある）は、とりわけ、ユーザが、多くのタイプのコンテンツまたはメディアアセット間をナビゲートし、それを特定することが可能である、公知のガイドアプリケーションである。双方向メディアガイドアプリケーションは、ユーザが、コンテンツ間をナビゲートし、それを特定および選択することを可能にする、グラフィカルユーザインターフェース画面を生成してもよい。本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、広告、チャットセッション、ソーシャルメディア、アプリケーション、ゲーム、および／または任意の他のメディアもしくはマルチメディア、および／またはそれらの組み合わせを意味することを理解されたい。ガイドアプリケーションはまた、ユーザが、コンテンツ間をナビゲートし、それを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用する、コンテンツを意味することを理解されたい。コンテンツは、ユーザ機器デバイスによって、録画、再生、表示、またはアクセスされてもよいが、また、ライブパーフォーマンスの一部であることも可能である。
【００１６】
本明細書で論じられる実施形態のいずれかを行うためのメディアガイドアプリケーションおよび／または任意の命令は、コンピュータ可読媒体上にエンコードされてもよい。コンピュータ可読媒体は、データを記憶することが可能な任意のメディアを含む。コンピュータ可読媒体は、限定ではないが、電気または電磁信号の伝搬を含む、一過性であってもよく、または限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む、非一過性であってもよい。
【００１７】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味することを理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイドは、これらのデバイス上でも利用可能であってもよい。提供されるガイドは、テレビのみを通して利用可能なコンテンツ、他のタイプのユーザ機器デバイスのうちの１つまたはそれを上回るもののみを通して利用可能なコンテンツ、またはテレビおよび他のタイプのユーザ機器デバイスのうちの１つまたはそれを上回るものの両方を通して利用可能なコンテンツのためのものであってもよい。メディアガイドアプリケーションは、ユーザ機器デバイス上で、オンラインアプリケーション（すなわち、ウェブサイト上で提供される）、もしくは独立型アプリケーションまたはクライアントとして提供されてもよい。メディアガイドアプリケーションを実装し得る、種々のデバイスおよびプラットフォームは、以下でより詳細に説明される。
【００１８】
メディアガイドアプリケーションの機能の１つは、メディアガイドデータをユーザに提供することである。本明細書で参照されるように、語句「メディアガイドデータ」または「ガイドデータ」は、コンテンツに関連する任意のデータ、またはガイドアプリケーションを動作させる際に使用されるデータを意味することを理解されたい。例えば、ガイドデータは、番組情報、単語間の加重関係を示す知識グラフを生成するために使用されるデータ、単語への音素シーケンスマッピング、ガイドアプリケーション設定、ユーザ選好、ユーザプロファイル情報、メディア一覧、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、字幕、メディア形式（例えば、標準解像度、高解像度、３Ｄ等）、広告情報（例えば、テキスト、画像、メディアクリップ等）、オンデマンド情報、ブログ、ウェブサイト、およびユーザが所望のコンテンツオプション間をナビゲートし、それを特定するために役立つ、任意の他のタイプのガイドデータを含んでもよい。
【００１９】
図１および２は、メディアガイドデータを提供するために使用され得る、例証的表示画面を示す。図１−２に示される表示画面は、任意の好適なユーザ機器デバイスまたはプラットフォーム上に実装されてもよい。図１−２の表示は、フル画面表示として図示されているが、それらはまた、表示されているコンテンツ上に完全または部分的にオーバーレイされてもよい。ユーザは、表示画面に提供された選択可能なオプション（例えば、メニューオプション、一覧オプション、アイコン、ハイパーリンク等）を選択することによって、もしくはリモートコントロールまたは他のユーザ入力インターフェースもしくはデバイス上の専用ボタン（例えば、「ガイド」ボタン）を押下することによって、コンテンツ情報へのアクセス要望を指示してもよい。ユーザの指示に応答して、メディアガイドアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定、ユーザ定義、もしくは他の編成基準等のいくつかの方法のうちの１つにおいて編成されたメディアガイド情報を伴う表示画面を提供してもよい。
【００２０】
図１は、単一表示内の異なるタイプのコンテンツへのアクセスも可能にする、時間およびチャンネル別に配列された番組一覧表示１００の例証的グリッドを示す。表示１００は、以下を伴うグリッド１０２を含んでもよい：（１）各チャンネル／コンテンツタイプ識別子（列内のセル）が利用可能な異なるチャンネルまたはコンテンツのタイプを識別する、チャンネル／コンテンツタイプ識別子１０４の列、および（２）各時間識別子（行内のセル）が番組の時間帯を識別する、時間識別子１０６の行。グリッド１０２はまた、番組一覧１０８等の番組一覧のセルも含み、各一覧は、一覧の関連チャンネルおよび時間の上に提供される、番組のタイトルを提供する。ユーザ入力デバイスを用いて、ユーザは、ハイライト領域１１０を移動させることによって番組一覧を選択することができる。ハイライト領域１１０によって選択される番組一覧に関する情報が、番組情報領域１１２内に提供されてもよい。領域１１２は、例えば、番組タイトル、番組内容、番組が提供される時間（該当する場合）、番組が放送されるチャンネル（該当する場合）、番組の評価、および他の所望の情報を含んでもよい。
【００２１】
線形番組（例えば、所定の時間に複数のユーザ機器デバイスに伝送されるようにスケジューリングされ、スケジューリングに従って提供される、コンテンツ）へのアクセスの提供に加え、メディアガイドアプリケーションはまた、非線形番組（例えば、任意の時間においてユーザ機器デバイスにアクセス可能であって、スケジューリングに従って提供されない、コンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む、異なるコンテンツソースからのコンテンツを含んでもよい。オンデマンドコンテンツは、映画または特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される任意の他のコンテンツを含んでもよい。ＨＢＯ  ＯＮ  ＤＥＭＡＮＤは、Ｔｉｍｅ  Ｗａｒｎｅｒ  ＣｏｍｐａｎｙＬ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００２２】
グリッド１０２は、オンデマンド一覧１１４、録画コンテンツ一覧１１６、およびインターネットコンテンツ一覧１１８を含む、非線形番組のメディアガイドデータを提供してもよい。異なるタイプのコンテンツソースからのコンテンツのためのメディアガイドデータを組み合わせる表示は、「混合メディア」表示と称されることもある。表示１００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧１１４、１１６、および１１８は、これらの一覧の選択が、それぞれ、オンデマンド一覧、録画一覧、またはインターネット一覧専用の表示へのアクセスを提供し得ることを示すように、グリッド１０２内に表示される時間帯全体に及ぶものとして示されている。いくつかの実施形態では、これらのコンテンツタイプの一覧は、グリッド１０２に直接含まれてもよい。ユーザがナビゲーションアイコン１２０のうちの１つを選択することに応答して、付加的メディアガイドデータが表示されてもよい（ユーザ入力デバイス上の矢印キーを押下することによって、ナビゲーションアイコン１２０を選択することと同様に表示に影響を及ぼしてもよい）。
【００２３】
表示１００はまた、ビデオ領域１２２、広告１２４、およびオプション領域１２６を含んでもよい。ビデオ領域１２２は、ユーザが、現在利用可能である、今後利用可能となる、またはユーザに利用可能であった番組を視聴および／またはプレビューすることを可能にしてもよい。ビデオ領域１２２のコンテンツは、グリッド１０２に表示される一覧のうちの１つに対応するか、またはそれから独立してもよい。ビデオ領域を含むグリッド表示は、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイドアプリケーション表示画面に含まれてもよい。
【００２４】
広告１２４は、（例えば、購読番組に対する）視聴者のアクセス権に応じて、現在視聴が利用可能である、将来視聴が利用可能となる、または決して視聴利用可能とはなり得ない、コンテンツの広告を提供してもよく、グリッド１０２内のコンテンツ一覧のうちの１つまたはそれを上回るものに対応するか、または無関係であってもよい。広告１２４はまた、グリッド１０２内で表示されるコンテンツに関係するか、または無関係である製品もしくはサービスに対するものであってもよい。広告１２４は、選択可能であってもよく、コンテンツに関するさらなる情報を提供する、製品またはサービスに関する情報を提供する、コンテンツ、製品、またはサービスの購入を可能にする、広告に関するコンテンツを提供する等を行ってもよい。広告１２４は、ユーザのプロファイル／選好、監視されたユーザ活動、提供される表示のタイプ、または他の好適な標的化された広告基盤に基づいて標的化されてもよい。
【００２５】
広告１２４は、長方形またはバナー形状として示されているが、広告は、ガイドアプリケーション表示内の任意の好適なサイズ、形状、および場所で提供されてもよい。例えば、広告１２４は、グリッド１０２に水平方向に隣接する長方形として提供されてもよい。これは、パネル広告と称されることもある。加えて、広告は、コンテンツまたはガイドアプリケーション表示上にオーバーレイされるか、または表示内に埋め込まれてもよい。広告はまた、テキスト、画像、回転画像、ビデオクリップ、または前述の他のタイプのコンテンツを含んでもよい。広告は、ガイドアプリケーションを有するユーザ機器デバイス内、ユーザ機器に接続されたデータベース内、遠隔場所（ストリーミングメディアサーバを含む）内、もしくは他の記憶手段またはこれらの場所の組み合わせ上に記憶されてもよい。メディアガイドアプリケーションに広告を提供するステップは、例えば、それらの全体で参照することにより本明細書に組み込まれる、２００３年１月１７日出願のＫｎｕｄｓｏｎらの米国特許出願第２００３／０１１０４９９号、２００４年６月２９日発行のＷａｒｄ，ＩＩＩらの米国特許第６，７５６，９９７号、および２００２年５月１４日発行のＳｃｈｅｉｎらの米国特許第６，３８８，７１４号で、さらに詳細に論じられている。広告は、本明細書に説明される実施形態の他のメディアガイドアプリケーション表示画面に含まれてもよいことが理解されるであろう。
【００２６】
オプション領域１２６は、ユーザが、異なるタイプのコンテンツ、メディアガイドアプリケーション表示、および／またはメディアガイドアプリケーション特徴にアクセスすることを可能にしてもよい。オプション領域１２６は、ディプレイ１００（および本明細書に説明される他の表示画面）の一部であってもよく、もしくは画面上のオプションを選択すること、またはユーザ入力デバイス上の専用または割当可能ボタンを押下することによって、ユーザによって呼び出されてもよい。オプション領域１２６内の選択可能オプションは、グリッド１０２内の番組一覧に関連する特徴に関してもよく、またはメインメニュー表示から利用可能なオプションを含んでもよい。番組一覧に関連する特徴は、他の放送時間または番組の受信方法の検索、番組の録画、番組の連続録画の有効化、番組および／またはチャンネルをお気に入りとして設定する、または番組の購入、字幕設定、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするためのオプション、プレミアムサービスを購読するためのオプション、字幕設定を有効／無効にするためのオプション、ユーザのプロファイルを編集するためのオプション、ブラウザオーバーレイにアクセスするためのオプション、または他のオプションを含んでもよい。
【００２７】
メディアガイドアプリケーションは、ユーザの選好に基づいて個人化されてもよい。個人化されたメディアガイドアプリケーションは、ユーザが、メディアガイドアプリケーションによって個人化された「体験」を生成するように、表示および特徴をカスタマイズすることを可能にする。この個人化された体験は、ユーザがこれらのカスタマイズを入力できるようにすることによって、および／または種々のユーザ選好を判定するようにメディアガイドアプリケーションがユーザ活動を監視することによって、生成されてもよい。ユーザは、ログインすることによって、または別様にガイドアプリケーションに対して自らを識別することによって、個人化されたガイドアプリケーションにアクセスしてもよい。メディアガイドアプリケーションのカスタマイズは、ユーザプロファイルに従って作成されてもよい。カスタマイズは、提示方式（例えば、表示の色方式、テキストのフォントサイズ等）、表示されるコンテンツ一覧の態様（例えば、ＨＤＴＶ番組のみまたは３Ｄ番組のみ、お気に入りチャンネル選択に基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させるステップを含んでもよい。
【００２８】
メディアガイドアプリケーションは、ユーザが、ユーザプロファイル情報を提供することを可能にしてもよく、またはユーザプロファイル情報を自動的にコンパイルしてもよい。メディアガイドアプリケーションは、例えば、ユーザがアクセスするコンテンツ、および／またはユーザがガイドアプリケーションと行ってもよい他の相互作用を監視してもよい。加えて、メディアガイドアプリケーションは、特定のユーザに関連する他のユーザプロファイルの全体または一部を取得し（例えば、ｗｗｗ．ａｌｌｒｏｖｉ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザに関する情報を取得してもよい。結果として、ユーザの異なるユーザ機器デバイスにわたって、統一されたガイドアプリケーション体験をユーザに提供することができる。このタイプのユーザ体験は、図４に関連して、以下でより詳細に説明される。付加的な個人化されたメディアガイドアプリケーション特徴は、２００５年７月１１日出願のＥｌｌｉｓらの米国特許出願第２００５／０２５１８２７号、２００７年１月１６日出願のＢｏｙｅｒらの米国特許出願第７，１６５，０９８号、および２００２年２月２１日出願のＥｌｌｉｓらの米国特許出願第２００２／０１７４４３０号でさらに詳細に説明されており、それらは全体として参照することにより本明細書に組み込まれる。
【００２９】
メディアガイドを提供するための別の表示配列が、図２に示されている。ビデオモザイク表示２００は、コンテンツのタイプ、ジャンル、および／または他の編成基準に基づいて編成されたコンテンツ情報のための選択可能オプション２０２を含む。オプション２０４の選択は、ユーザにグリッド１０２（図１）を返し得る。
【００３０】
表示２００では、一覧２０６、２０８、２１０、および２１２は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧のそれぞれはまた、一覧と関連付けられたコンテンツに関するさらなる情報を提供するように、テキストを伴ってもよい。例えば、一覧２０８、２１０、および２１２は、メディア部分２１４およびテキスト部分２１６を含む、１つより多くの部分を含んでもよい。メディア部分２１４および／またはテキスト部分２１６は、コンテンツをフル画面で視聴するように、またはメディア部分２１４に表示されるコンテンツに関連する情報を閲覧するように（例えば、ビデオが表示されるチャンネルの一覧を閲覧するように）、選択可能であってもよい。
【００３１】
表示２００中の一覧は、異なるサイズである（すなわち、一覧２０６は、一覧２０８、２１０、および２１２より大きい）が、所望の場合、全一覧が同一のサイズであってもよい。一覧は、コンテンツプロバイダの所望に応じて、またはユーザ選好に基づいて、ユーザが関心の程度を示すように、または、あるコンテンツを強調するように、異なるサイズであるか、またはグラフィックが強調されてもよい。コンテンツ一覧をグラフィック的に強調するための種々のシステムおよび方法は、例えば、全体として参照することにより本明細書に組み込まれる、２００５年１２月１２日出願のＹａｔｅｓの米国特許出願公開第２０１０／０１５３８８５号で論じられている。
【００３２】
ユーザは、そのユーザ機器デバイスのうちの１つまたはそれを上回るものから、コンテンツおよびメディアガイドアプリケーション（ならびに上記および下記で説明されるその表示画面）にアクセスしてもよい。図３は、例証的ユーザ機器デバイス３００の一般化された実施形態を示す。ユーザ機器デバイスのより具体的な実装は、図４に関連して以下で論じられる。ユーザ機器デバイス３００は、入出力（以下「Ｉ／Ｏ」）パス３０２を介して、コンテンツおよびデータを受信してもよい。Ｉ／Ｏパス３０２は、処理回路３０６、検出回路３２０、および記憶３０８を含む制御回路３０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路３０４は、Ｉ／Ｏパス３０２を使用して、コマンド、要求、および他の好適なデータを送受信するために使用されてもよい。Ｉ／Ｏパス３０２は、制御回路３０４（具体的には、処理回路３０６）を１つまたはそれを上回る通信パス（以下で説明される）に接続してもよい。Ｉ／Ｏ機能は、これらの通信パスのうちの１つまたはそれを上回るものによって提供されてもよいが、図面が複雑になり過ぎることを回避するため、図３では単一パスとして示されている。
【００３３】
制御回路３０４は、処理回路３０６等の任意の好適な処理回路に基づいてもよい。本明細書で参照されるように、処理回路とは、１つまたはそれを上回るマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路３０４は、メモリ（すなわち、記憶３０８）に記憶されたメディアガイドアプリケーションに対する命令を実行する。具体的には、制御回路３０４は、メディアガイドアプリケーションによって、前述および後述の機能を行うように命令されてもよい。例えば、メディアガイドアプリケーションは、制御回路３０４に、メディアガイド表示を生成するための命令を提供してもよい。いくつかの実装では、制御回路３０４によって行われるいかなるアクションも、メディアガイドアプリケーションから受信した命令に基づいてもよい。
【００３４】
クライアントサーバに基づく実施形態では、制御回路３０４は、ガイドアプリケーションサーバもしくは他のネットワークまたはサーバと通信するための好適な通信回路を含んでもよい。前述の機能性を実施するための命令は、ガイドアプリケーションサーバ上に記憶されてもよい。通信回路は、ケーブルモデム、総合デジタル通信網（ＩＳＤＮ）モデム、デジタル加入者回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを伴ってもよい（図４に関連してさらに詳細に説明される）。加えて、通信回路は、ユーザ機器デバイスのピアツーピア通信、または相互から遠隔の場所にあるユーザ機器デバイスの通信を可能にする回路を含んでもよい（以下でさらに詳細に説明される）。
【００３５】
制御回路はまた、顔判定、脳波情報、体温判定、心拍数判定、臭い判定、香り判定、身体形状判定、音声判定、挙動判定、任意の他の好適なバイオメトリック判定技法、または任意のそれらの組み合わせ等の任意の好適なバイオメトリック判定技法を使用することによって、ユーザまたは複数のユーザに任意の肯定アクションを行うことを要求せずに、ユーザまたは複数のユーザを検出および／または識別するために使用され得る、検出回路３２０に命令してもよい。
【００３６】
検出回路３２０は、監視構成要素３１６および電力管理ユニット３１８を含んでもよい。監視構成要素３１６は、ユーザのアクティビティタイプ（例えば、バイオメトリック状態、場所、または脳波情報）を監視するために、１つまたはそれを上回る構成要素（例えば、ＥＥＧ、ＥＭＧ、パルスオキシメータ等）を含んでもよい。本明細書に参照されるように、「場所」は、地理的座標、方向のベクトル、所在地住所、建物の名前、または任意の他の好適な識別子等の位置の任意の相対的または絶対的識別子を指す。例えば、場所は、地理的座標系（例えば、緯度または経度）における座標または全地球測位システム（ＧＰＳ）によって示されてもよい。
【００３７】
監視構成要素３１６は、いくつかの実施形態では、メディアガイドアプリケーション（および制御回路３０４）が実装されるデバイスと通信する、別個のデバイス上に位置してもよいことに留意されたい。例えば、いくつかの実施形態では、監視構成要素３１６は、通信ネットワーク（例えば、通信ネットワーク４１４（図４））を介して、デバイス３００と通信してもよい。いくつかの実施形態では、監視構成要素３１６は、装着式デバイス（例えば、リストバンド、ヘッドバンド、腕時計等）であってもよい。
【００３８】
マイクロホンおよび音声認識を使用して、制御回路３０４は、音声認識または識別を通して、その声道の物理的特性に基づいて、ユーザを検出または識別してもよい。音源およびマイクロホンのアレイを使用して、制御回路３０４は、ＩＲ光を参照して前述の飛行時間方法に類似する、音響局在化を通して、バイオメトリックデバイスを囲繞するエリアの形状についての情報を判定してもよい。例えば、音源は、マイクロホンのアレイの近傍に位置してもよい。音源から広まる音は、源から離れるような波面として伝搬し得る。波面が物体に衝突すると、波面の一部は、音源およびマイクロホンのアレイに向かって反射され得る。物体の位置に応じて、反射された音は、異なる時間にマイクロホンに到達し得る。例えば、反射された音は、より遠いマイクロホンより短い時間でより近いマイクロホンに到着し得る。種々のマイクロホンにおける到着時間の時間または位相差異、音の総進行時間、およびマイクロホンの位置に基づいて、空間エリアマップを生成することが可能となり得る。物体の場所は、音響局在化を介して生成される空間エリアマップ、ＩＲ飛行時間、任意の他の好適なマッピング方法、または任意のそれらの組み合わせに基づいて判定されてもよい。種々のバイオメトリック技法およびデバイスは、単独で、または組み合わせて使用され、ユーザをより正確に識別または検出するために、相互に補完してもよいことを理解されたい。
【００３９】
いくつかの実施形態では、メディアガイドアプリケーションは、ユーザから受信される口頭コマンドまたは口頭入力に応答してもよい。制御回路３０４は、ユーザからの口頭入力を処理するための音素エンコーダを伴う、音声認識エンジンまたは回路を含んでもよい。いくつかの実装では、ヒト言語音（例えば、発話）が、１つまたはそれを上回るマイクロホンを用いて受信され、制御回路３０４の音素エンコーダに提供されてもよい。音素エンコーダは、音素表現を使用して、音を音の機械表現に変換してもよい。一実施形態では、機械表現は、英数字値のシーケンスとして見ることが可能な音素のＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）表現または同等物として見なされ得る。一実施形態では、機械表現は、国際音声記号（ＩＰＡ）からの記号および／またはコンピュータデバイス内における使用のために適合された拡張セットを採用してもよい。
【００４０】
本明細書で使用されるように、用語「音素」は、ヒト言語音または発話の物理的表現を指す。さらに、音素は、単語または語句内のその位置から独立した言語の音の表現である。したがって、音素は、可能性として考えられる最も中立的形態における音を指す。音素の種々の表記表現は、当技術分野において公知であって、したがって、事実上、任意の表現が、本開示によって使用されてもよい。例えば、一実施形態では、音素は、国際音声記号（ＩＰＡ）、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）フォーマット、または同等物において採用されるような英数字記号によって表されてもよい。しかしながら、前述のように、本開示は、本機構に限定されず、その他も、使用されてもよい。本明細書で使用されるように、用語「単語」は、１つまたはそれを上回る音素シーケンスに合致する、発話または表記の単一の固有の有意義要素を指す。複数の単語が、同一音素シーケンスに合致するとき、同音異字または同一同音異字セットの一部の単語と称される。
【００４１】
制御回路３０４は、検出された音素シーケンスと音素シーケンスを単語にマップするデータベース６００（図６）を相互参照してもよい。音素シーケンスとデータベース６００とを相互参照するプロセスは、ユーザから受信された複数の発話をテキスト単語に変換するために使用されてもよい。発話がその対応するデジタル単語に変換された後、出力は、さらなる処理のために、メディアガイドアプリケーションに提供されてもよい。例えば、メディアガイドアプリケーションは、識別された単語（受信された発話に対応する）を処理し、推奨、広告を生成する、検索クエリを行う、ウェブサイトをロードする、または識別された単語に対応する任意の他のコマンドを行ってもよい。いくつかの実装では、メディアガイドアプリケーションは、識別された単語のうちの１つとコマンドデータベースとを相互参照し、単語のうちの１つまたはそれを上回るものがコマンドであるかどうかを判定してもよい。メディアガイドアプリケーションは、識別された単語に対応するコマンドを識別し、コマンド（例えば、検索機能）を行ってもよい。コマンドの他のパラメータは、他の識別された単語または続いて受信される発話によって提供されてもよい。
【００４２】
いくつかの実施形態では、制御回路３０４は、ユーザから複数の発話を含む口頭入力を受信してもよい。例えば、ユーザは、語句「Ｄｕｋｅ  ｖ．  Ｕｃｏｎｎ」と発話し得る。各発話は、ユーザによって話される特定の単語に対応し得る。典型的には、発話は、短い沈黙の瞬間によって相互から分離される。発話の受信に応答して、制御回路３０４は、発話を音素シーケンスにエンコードしてもよい。例えば、制御回路３０４は、ＩＰＡを使用して、各発話を
【化１】
0006684231.tif 000002
（セミコロンは、発話間の沈黙または中断を表す）としてエンコードしてもよい。制御回路３０４は、ＩＰＡを使用して各音素シーケンスを記憶３０８内に記憶してもよい。ＩＰＡ音声学的エンコーディングの使用に加え、任意の他のタイプの音声学的エンコーディングまたは表現システムも、使用されることができる（例えば、ＳＡＭＰＡ、Ｘ−ＳＡＭＰＡ、Ａｒｐａｂｅｔ、ｅｘｔｌＰＡ、Ｋｉｒｓｈｅｎｂａｕｍ等）
【００４３】
制御回路３０４は、発話毎の記憶されるＩＰＡとデータベース６００とを相互参照してもよい。データベース６００は、ローカルデータベースまたは遠隔データベースであってもよい。データベース６００が遠隔にあるとき、制御回路３０４は、音素シーケンスまたはＩＰＡをサーバに通信してもよく、これは、次いで、制御回路３０４に、音素シーケンスまたはＩＰＡに合致する対応する単語もしくは複数の単語を返してもよい。
【００４４】
いくつかの実施形態では、音素エンコーダによるＩＰＡ出力の相互参照に加え、制御回路３０４は、データベース６００と音素エンコーダによって出力されたＩＰＡに近いＩＰＡとを相互参照してもよい。これは、発話検出における可能性として考えられるエラーまたはある人々がある単語を話す異なる方法を考慮し得る。例えば、ユーザは、用語「ｂｉｔｅ」を発話し得、音素エンコーダは、ＩＰＡ表現を
【化２】
0006684231.tif 000003
として出力する。音素エンコーダの出力
【化３】
0006684231.tif 000004
の相互参照に加え、制御回路３０４はまた、
【化４】
0006684231.tif 000005
に近い他のＩＰＡを識別してもよい。そのような他のＩＰＡの１つは、
【化５】
0006684231.tif 000006
（「ｂｉｔｅ」に近い単語「ｂｒｉｇｈｔ」に対応する）であり得る。故に、制御回路３０４は、データベース６００から、両ＩＰＡに合致する全単語を読み出してもよい。
【００４５】
いくつかの実施形態では、データベース６００は、制御回路３０４に、所与の音素シーケンスに対応する単語または複数の単語を返してもよい。例えば、ｄｕｋのＩＰＡに関して、データベース６００は、「ｄｕｋｅ」に合致する、１つのみの単語を返してもよい。
【化６】
0006684231.tif 000007
のＩＰＡに関して、データベース６００は、受信されるＩＰＡが同音異字であることのインジケーションとともに、複数の単語を返してもよい。具体的には、データベース６００は、単語「Ｙｕｋｏｎ」および「Ｕｃｏｎｎ」のセットを返してもよい。音素シーケンスのうちの１つが同音異字セットに合致するというデータベース６００からのインジケーションの受信に応答して、制御回路３０４は、発話内で受信される他の単語を用いて、同音異字セット内の各単語を処理し、適切な単語を選択してもよい。いくつかの実装では、制御回路３０４は、知識グラフ５００を使用して、ユーザによって発話された他の単語とのその関係に基づいて、単語を発話したユーザによって意図される同音異字セット内のどの単語かを判定してもよい。
【００４６】
いくつかの実施形態では、制御回路３０４は、第１の単語のためのコンテキストを識別してもよく、単語が第１の単語のコンテキストと関連付けられるかどうかに基づいて、単語を発話したユーザによって意図された同音異字セット内の単語を判定してもよい。例えば、制御回路３０４は、単語「ｄｕｋｅ」が大学であることを判定し得る。故に、制御回路３０４は、コンテキストを大学またはカレッジのスポーツに設定してもよい。制御回路３０４は、単語「Ｙｕｋｏｎ」または単語「Ｕｃｏｎｎ」がコンテキスト大学またはコンテキストカレッジスポーツと関連付けられるかどうかを判定してもよい。単語「ｕｃｏｎｎ」が単語「ｄｕｋｅ」と同一コンテキストと関連付けられるが、単語「Ｙｕｋｏｎ」がそうではないことの判定に応答して、制御回路３０４は、ユーザ意図入力として処理するために、単語「Ｄｕｋｅ」および「Ｕｃｏｎｎ」の組み合わせを選択してもよい。
【００４７】
いくつかの実施形態では、制御回路３０４は、同音異字内の単語と別の単語との間のユーザによって発話された語句内で使用される前置詞に基づいて、単語を発話したユーザによって意図される同音異字セット内の単語のためのコンテキストを識別してもよい。例えば、制御回路３０４は、語句「Ｄｕｋｅ  ｖ．  Ｕｃｏｎｎ」内で使用される前置詞が「ｖ．」であることを判定し得る。制御回路３０４は、前置詞「ｖ．」と前置詞のルックアップテーブルとを相互参照し、前置詞のためのコンテキストを判定してもよい。例えば、制御回路３０４は、ルックアップテーブルに基づいて、前置詞「ｖ．」が典型的には、スポーツイベントのような競技を表すことを判定し得る。故に、制御回路３０４は、コンテキストを競技に設定してもよい。制御回路３０４は、単語「Ｙｕｋｏｎ」または単語「Ｕｃｏｎｎ」がコンテキスト競技と関連付けられるかどうかを判定してもよい。具体的には、制御回路３０４は、Ｕｃｏｎｎが、典型的には、スポーツで競うことが知られている大学であるため、単語「ｕｃｏｎｎ」がコンテキスト競技と関連付けられ、単語「Ｙｕｋｏｎ」がそうではない（川が競技で知られていないため）ことを判定し得る。故に、制御回路３０４は、ユーザ意図入力として処理するために、「Ｄｕｋｅ」および「Ｙｕｋｏｎ」ではなく、単語「Ｄｕｋｅ」および「Ｕｃｏｎｎ」の組み合わせを選択してもよい。
【００４８】
いくつかの実施形態では、知識グラフ５００は、単語毎のエントリを使用して、単語の集合体およびその関係を相互にマップしてもよい。具体的には、知識グラフ５００内のエントリ５１０は、単語５２０およびその対応するＩＰＡ表現５３０を含んでもよい。ＩＰＡ表現が、知識グラフ５００に示されるが、任意の他のタイプの音声学的エンコーディングまたは表現システムが、使用されることができる（例えば、ＳＡＭＰＡ、Ｘ−ＳＡＭＰＡ、Ａｒｐａｂｅｔ、ｅｘｔｌＰＡ、Ｋｉｒｓｈｅｎｂａｕｍ等）。第１のエントリは、加重線５４０によって、第２のエントリに接続される。例えば、単語「Ｄｕｋｅ」のためのエントリ５１０は、「１」の加重を有する線５４０によって、単語「大学」のためのエントリに接続されてもよい。線に対する低加重は、２つの単語間のより強いまたはより大きい関係を示し得る。Ｄｕｋｅは、大学であるため、知識グラフ５００内の２つのエントリを接続する線の加重は、最大値「１」に設定される。同様に、単語「Ｄｕｋｅ」のためのエントリは、大学Ｄｕｋｅと大学Ｕｃｏｎｎとの間により弱い関係が存在するため、「２」の加重を有する線５５０によって、単語「ｕｃｏｎｎ」のためのエントリ５８０に接続される。２つのエントリ間の知識グラフ５００内の視覚的接続の欠如は、２つのエントリが無限加重を伴う線によって接続されることを意味し、２つの対応する単語が相互に関連しないことを意味する。知識グラフ５００に見られるように、２つの単語「Ｕｃｏｎｎ」および「Ｙｕｋｏｎ」は、対応するエントリおよび同じＩＰＡ表現を有する。ＩＰＡ表現は、同じであるが、２つのエントリは、対応する単語が異なる意味を有するため、異なる加重によって他のエントリに関連する。
【００４９】
いくつかの実施形態では、知識グラフ５００内の異なるエンティティ間の加重は、経時的に変化してもよい。例えば、２つのチームを表す２つのエンティティは、２つのチームが同一トーナメント内にあるとき、非常に強い加重（例えば、「２」）を用いて接続されてもよい。しかしながら、トーナメントが終わり、チームもはや相互に戦わなくなると、知識グラフ５００内の２つのエンティティ間の加重は、より大きくなり（例えば、「１００」または無限）、２つのエンティティがあまり密接に関連しないことを示してもよい。具体的には、知識グラフ５００内の単語とエンティティとの間の関係は、経時的に適応してもよい。
【００５０】
いくつかの実施形態では、制御回路３０４は、知識グラフ５００を使用して、２つまたはそれを上回る単語間の距離を算出してもよい。具体的には、制御回路３０４は、知識グラフ５００内の異なるエントリを接続する線に加重を加え、最短距離を判定してもよい。例えば、第１および第２のエントリが、３つの他のエントリによって、知識グラフ５００内で相互から分離される場合、制御回路３０４は、３つの他のエントリのそれぞれを接続する線を累積し、第１のエントリと第２のエントリとの間の距離を判定してもよい。具体的には、単語「Ｄｕｋｅ」のためのエントリ５１０と単語「ａｒｅａ」のためのエントリ５９０との間の距離は、エントリ５１０が単語「Ｎｏｒｔｈ  Ｃａｒｏｌｉｎａ」のためのエントリによってエントリ５９０から分離されるため、４として算出されてもよい。すなわち、エントリ５１０と「Ｎｏｒｔｈ  Ｃａｒｏｌｉｎａ」のためのエントリとの間の距離は、「１」であって、「Ｎｏｒｔｈ  Ｃａｒｏｌｉｎａ」のためのエントリエントリ５９０との間の距離は、「３」であって、合計して４になる。
【００５１】
いくつかの実施形態では、所与の音素シーケンスが複数の単語に合致するというデータベース６００からのインジケーションの受信に応答して、制御回路は、最初に、第１の単語を選択し、異なる音素シーケンスに対応する別の単語を用いて、選択された第１の単語を処理してもよい。例えば、制御回路は、最初に、同音異字セット内の単語「Ｙｕｋｏｎ」を選択し、選択された単語とその関係を判定するために受信された異なる音素シーケンスに合致する標的単語（例えば、「ｄｕｋｅ」）とを組み合わせてもよい。制御回路３０４は、知識グラフ５００を使用して、単語「ｄｕｋｅ」および「Ｙｕｋｏｎ」の組み合わせ間の距離を算出し、単語が知識グラフ５００内で相互にどれだけ近いかまたは遠いかを判定してもよい。特に、制御回路３０４は、単語「ｄｕｋｅ」および単語「Ｙｕｋｏｎ」に対応するエンティティ間の知識グラフ５００内の最短距離が５であることを判定してもよい（例えば、単語「Ｄｕｋｅ」のためのエンティティと単語「Ｎｏｒｔｈ  Ｃａｒｏｌｉｎａ」のためのエンティティとの間の線または接続の加重が１であって、単語「Ｎｏｒｔｈ  Ｃａｒｏｌｉｎａ」のためのエンティティと単語「ａｒｅａ」のためのエンティティとの間の線または接続の加重が３であって、単語「ａｒｅａ」のためのエンティティと単語「Ｙｕｋｏｎ」のためのエンティティとの間の線または接続の加重が１である）。制御回路３０４は、記憶３０８内に、第１の選択された単語「Ｙｕｋｏｎ」と標的単語「ｄｕｋｅ」との間の距離のその値を記憶してもよい。
【００５２】
制御回路は、標的単語までの距離を判定するために、同音異字セット内に他の単語が存在するかどうかを判定してもよい。この場合、制御回路３０４は、標的単語と共に処理するために残された同音異字セット内の「Ｕｃｏｎｎ」を有する。制御回路は、次に、同音異字セット内の単語「Ｕｃｏｎｎ」を選択し、選択された単語と標的単語（例えば、「ｄｕｋｅ」）とを組み合わせ、それらの関係を判定し得る。制御回路３０４は、知識グラフ５００を使用して、単語「ｄｕｋｅ」と「Ｕｃｏｎｎ」との組み合わせ間の距離を算出し、単語が知識グラフ５００内で相互にどれだけ近いかまたは遠いかを判定し得る。特に、制御回路３０４は、単語「ｄｕｋｅ」および単語「Ｕｃｏｎｎ」に対応するエンティティ間の知識グラフ５００内の最短が２であることを判定し得る（例えば、単語「Ｄｕｋｅ」のためのエンティティと単語「Ｕｃｏｎｎ」のためのエンティティとの間の線または接続の加重５５０は、「１」である）。制御回路３０４は、記憶３０８に、単語「Ｕｃｏｎｎ」と標的単語「ｄｕｋｅ」との間の距離のその値を記憶してもよい。
【００５３】
制御回路３０４は、同音異字セット内の各単語と標的単語との間の距離を比較してもよい。制御回路３０４は、意図される組み合わせとして、ユーザによって、標的単語までの最短距離を有する同音異字セット内の単語（標的単語に最も密接に関連する単語）を選択してもよい。この場合、制御回路３０４は、発話／ｄｕｋｅ／および
【化７】
0006684231.tif 000008
の意図される組み合わせが、「ｄｕｋｅ」および「ｙｕｋｏｎ」ではなく、「ｄｕｋｅ」および「ｕｃｏｎｎ」に対応することを判定してもよい。制御回路３０４は、次いで、本組み合わせをメディアガイドアプリケーションに提供し、メディアガイド機能を組み合わせに行ってもよい（例えば、検索または推奨を行う）。例えば、メディアガイドアプリケーションは、２つのスポーツイベントチーム（「Ｄｕｋｅ」および「Ｕｃｏｎｎ」）間の今後のスポーツイベントの表示を生成してもよい。
【００５４】
いくつかの実施形態では、データベース６００は、制御回路３０４に、制御回路３０４がデータベース６００に提供する、発話または音素のシーケンス毎に複数の単語を返してもよい。例えば、所与の発話に対応する複数の単語は、制御回路３０４が、ある発話に対して相互に近い、音素シーケンスを提供する結果であってもよい。そのような状況では、制御回路３０４は、合致する単語の各組み合わせ間の距離を算出し、最短距離を有する組み合わせ（例えば、相互に最も密接に関連する単語の組み合わせ）を選択してもよい。例えば、制御回路３０４は、第１の音素シーケンス／ａ／および第２の音素シーケンス／ｂ／をデータベース６００に提供してもよい。データベース６００は、それに応答して、第１の音素シーケンスに合致する単語の第１のセット（例えば、単語Ａ、Ｂ、およびＣ）および第２の音素シーケンスに合致する単語の第２のセット（例えば、単語ＤおよびＥ）を返してもよい。その結果、制御回路３０４は、単語の６つの組み合わせ（例えば、組み合わせ１：Ａ＋Ｄ、組み合わせ２：Ｂ＋Ｄ、組み合わせ３：Ｃ＋Ｄ、組み合わせ４：Ａ＋Ｅ、組み合わせ５：Ｂ＋Ｅ、および組み合わせ６：Ｃ＋Ｅ）を生成し得る。制御回路３０４は、知識グラフ５００を使用して、各組み合わせ内の各単語間の距離を判定してもよい。例えば、制御回路３０４は、組み合わせ１−６内の単語が個別の距離３、２、５、１０、８、および５０を有することを判定し得る。組み合わせ２内の単語が最短距離を有し、故に、最も密接に関連することの判定に応答して、制御回路３０４は、さらなる処理のために、ユーザの意図される組み合わせとして組み合わせ２を自動的に選択してもよい。
【００５５】
故に、語句「Ｄｕｋｅ  ｖ．  Ｕｃｏｎｎ」を伴う初期口頭入力を受信するために、入力をユーザからさらに受信せずに、制御回路３０４は、単語「ｕｃｏｎｎ」が同音異字セット内にあっても、単語「Ｄｕｋｅ」および「Ｕｃｏｎｎ」を特徴とする検索の結果を出力し得る。すなわち、ユーザは、制御回路３０４が意図される出力（例えば、学校「Ｕｃｏｎｎ」）を提供するために、ユーザが学校「ｕｃｏｎｎ」または川「ｙｕｋｏｎ」を意図したかどうかに関して、曖昧性を解決することに関わる必要がない。これは、制御回路３０４が、同音異字セット内の複数の単語のうちのどれが最も可能性の高い意図される単語であるかを口頭入力内の他の単語や同音異字セット内の各単語に対するそれらの関係等の他のコンテキスト情報に基づいて判定するためである。
【００５６】
メモリは、制御回路３０４の一部である、記憶３０８として提供される、電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ（パーソナルビデオレコーダと呼ばれる場合もある）、またはＰＶＲ）、固体デバイス、量子記憶デバイス、ゲームコンソール、ゲームメディア、もしくは任意の他の好適な固定またはリムーバブル記憶デバイス、および／または任意のそれらの組み合わせ等の電子データ、コンピュータソフトウェア、またはファームウェアを記憶するための任意のデバイスを意味することを理解されたい。記憶３０８は、本明細書に説明される種々のタイプのコンテンツ、ならびに前述のメディアガイドデータを記憶するために使用されてもよい。例えば、記憶３０８は、データベース６００を記憶するために使用されてもよい。データベース６００は、複数のエントリを含んでもよい。各エントリは、音素シーケンスフィールドおよび対応する単語／同音異字フィールドを含んでもよい。音素シーケンスフィールドは、受信される発話を表す音素のセットを識別してもよく、単語／同音異字フィールドは、音素シーケンスに合致する単語または複数の単語のテキスト表現を識別してもよい。記憶３０８はまた、異なる単語間の加重された関係を記憶する、知識グラフ５００（図５）を記憶するために使用されてもよい。非揮発性メモリもまた、使用されてもよい（例えば、ブートアップルーチンや他の命令を起動するために）。図４に関連して説明される、クラウドベースの記憶が、記憶３０８を補完するために使用される、または記憶３０８の代わりに使用されてもよい。
【００５７】
制御回路３０４は、１つまたはそれを上回るアナログチューナ、１つまたはそれを上回るＭＰＥＧ−２デコーダ、または他のデジタル復号回路、高解像度チューナ、または任意の他の好適な同調もしくはビデオ回路、もしくはそのような回路の組み合わせ等のビデオ生成回路および同調回路を含んでもよい。符号化回路（例えば、記憶のために、無線、アナログ、またはデジタル信号をＭＰＥＧ信号に変換するためのもの）もまた、提供されてもよい。制御回路３０４はまた、コンテンツをユーザ機器３００の好ましい出力形式に上方変換および下方変換するためのスケーラ回路を含んでもよい。回路３０４はまた、デジタルおよびアナログ信号間で変換するためのデジタルからアナログへの変換回路およびアナログからデジタルへの変換回路を含んでもよい。同調および符号化回路は、コンテンツを受信して表示する、再生する、または録画するために、ユーザ機器デバイスによって使用されてもよい。同調および符号化回路はまた、ガイドデータを受信するために使用されてもよい。例えば、同調、ビデオ生成、符号化、復号、暗号化、解読、スケーラ、およびアナログ／デジタル回路を含む、本明細書に説明される回路は、１つまたはそれを上回る汎用または特殊プロセッサ上で起動するソフトウェアを使用して実装されてもよい。複数のチューナが、同時同調機能に扱うために提供されてもよい（例えば、視聴および録画機能、ピクチャインピクチャ（ＰＩＰ）機能、多重チューナ録画機能等）。記憶３０８が、ユーザ機器３００とは別のデバイスとして提供される場合、同調および符号化回路（複数のチューナを含む）は、記憶３０８と関連付けられてもよい。
【００５８】
ユーザは、ユーザ入力インターフェース３１０を使用して、命令を制御回路３０４に送信してもよい。ユーザ入力インターフェース３１０は、リモートコントロール、マウス、トラックボール、キーパッド、キーボード、タッチ画面、タッチパッド、スタイラス入力、ジョイスティック、音声認識インターフェース、マイクロホン、または他のユーザ入力インターフェース等、任意の好適なユーザインターフェースであってもよい。ディスプレイ３１２は、独立型デバイスとして提供されるか、またはユーザ機器デバイス３００の他の要素と統合してもよい。例えば、ディスプレイ３１２は、タッチスクリーンまたはタッチセンサ式表示であってもよい。そのような状況では、ユーザ入力インターフェース３１２は、ディスプレイ３１２と統合される、または組み合わせられてもよい。ディスプレイ３１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマ表示パネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つまたはそれを上回るものであってもよい。いくつかの実施形態では、ディスプレイ３１２は、ＨＤＴＶ対応型であってもよい。いくつかの実施形態では、ディスプレイ３１２は、３Ｄ表示であってもよく、双方向メディアガイドアプリケーションおよび任意の好適なコンテンツは、３Ｄで表示されてもよい。ビデオカードまたはグラフィックカードは、出力をディスプレイ３１２に生成してもよい。ビデオカードは、３Ｄシーンおよび２Ｄグラフィックのレンダリング加速、ＭＰＥＧ−２／ＭＰＥＧ−４復号、ＴＶ出力、または複数のモニタを接続する能力等の種々の機能をもたらしてもよい。ビデオカードは、制御回路３０４に関連する前述の任意の処理回路であってもよい。ビデオカードは、制御回路３０４と統合されてもよい。スピーカ３１４は、ユーザ機器デバイス３００の他の要素との統合として提供されてもよく、または独立型ユニットであってもよい。ディスプレイ３１２上に表示されるビデオおよび他のコンテンツのオーディオ構成要素は、スピーカ３１４を通して再生されてもよい。いくつかの実施形態では、音声は、スピーカ３１４を介して音声を処理および出力する、受信機（図示せず）に配信されてもよい。
【００５９】
ガイドアプリケーションは、任意の好適なアーキテクチャを使用して実装されてもよい。例えば、それは、ユーザ機器デバイス３００上で完全に実装される、独立型アプリケーションであってもよい。そのようなアプローチでは、アプリケーションの命令は、ローカルに記憶され（例えば、記憶３０８内に）、アプリケーションによって使用するためのデータは、周期的にダウンロードされる（例えば、帯域外フィードから、インターネットリソースから、または別の好適なアプローチを使用して）。制御回路３０４は、記憶３０８からアプリケーションの命令を読み出し、本明細書で論じられる表示のいずれかを生成するための命令を処理してもよい。処理された命令に基づいて、制御回路３０４は、入力が入力インターフェース３１０から受信されるときに行うアクションを判定してもよい。例えば、表示上のカーソルの上／下への移動は、入力インターフェース３１０が上／下ボタンが選択されたことを示すとき、処理された命令によって示されてもよい。
【００６０】
いくつかの実施形態では、メディアガイドアプリケーションは、クライアントサーバベースのアプリケーションである。ユーザ機器デバイス３００上に実装される、シックまたはシンクライアントによって使用するためのデータは、ユーザ機器デバイス３００の遠隔にあるサーバに要求を発行することによって、オンデマンドで読み出される。クライアントサーバベースのガイドアプリケーションの一実施例では、制御回路３０４は、遠隔サーバによって提供されるウェブページを解釈する、ウェブブラウザを実行する。例えば、遠隔サーバは、記憶デバイス内にアプリケーションのための命令を記憶してもよい。遠隔サーバは、回路（例えば、制御回路３０４）を使用して、記憶された命令を処理し、前述および後述の表示を生成してもよい。クライアントデバイスは、遠隔サーバによって生成される表示を受信してもよく、表示のコンテンツを機器デバイス３００上でローカルに表示してもよい。このように、命令の処理は、サーバによって遠隔で行われる一方、結果として生じる表示は、機器デバイス３００上にローカルに提供される。機器デバイス３００は、入力インターフェース３１０を介して、ユーザからの入力を受信し、対応する表示を処理および生成するために、それらの入力を遠隔サーバに伝送してもよい。例えば、機器デバイス３００は、上／下ボタンが入力インターフェース３１０を介して選択されたことを示す、通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス３００に伝送される。
【００６１】
いくつかの実施形態では、メディアガイドアプリケーションは、インタープリタまたは仮想マシン（制御回路３０４によって起動される）によって、ダウンロードされ、解釈されるかまたは別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ（ＥＢＩＦ））で符号化され、好適なフィードの一部として制御回路３０４によって受信され、制御回路３０４上で起動するユーザエージェントによって解釈されてもよい。例えば、ガイドアプリケーションは、ＥＢＩＦアプリケーションであってもよい。いくつかの実施形態では、ガイドアプリケーションは、制御回路３０４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディア符号化スキームを採用するもの）では、ガイドアプリケーションは、例えば、番組のＭＰＥＧオーディオおよびビデオパケットを用いたＭＰＥＧ−２オブジェクトカルーセルにおいて符号化および伝送されてもよい。
【００６２】
図３のユーザ機器デバイス３００は、ユーザテレビ機器４０２、ユーザコンピュータ機器４０４、無線ユーザ通信デバイス４０６、または非携帯型ゲーム機等のコンテンツにアクセスするために好適な任意の他のタイプのユーザ機器として、図４のシステム４００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイドアプリケーションが実装され得る、ユーザ機器デバイスは、独立型デバイスとして機能してもよく、またはデバイスのネットワークの一部であってもよい。デバイスの種々のネットワーク構成が実装されてもよく、以下でさらに詳細に論じられる。
【００６３】
図３に関連して前述のシステム特徴のうちの少なくともいくつかを利用する、ユーザ機器デバイスは、ユーザテレビ機器４０２、ユーザコンピュータ機器４０４、または無線ユーザ通信デバイス４０６としてだけに分類されなくてもよい。例えば、ユーザテレビ機器４０２は、いくつかのユーザコンピュータ機器４０４のように、インターネットコンテンツへのアクセスを可能にするインターネット対応型であってもよい一方で、ユーザコンピュータ機器４０４は、いくつかのテレビ機器４０２のように、テレビ番組へのアクセスを可能にするチューナを含んでもよい。メディアガイドアプリケーションはまた、種々の異なるタイプのユーザ機器上で同一レイアウトを有してもよく、またはユーザ機器の表示能力に合わせられてもよい。例えば、ユーザコンピュータ機器４０４上では、ガイドアプリケーションは、ウェブブラウザによってアクセスされるウェブサイトとして提供されてもよい。別の実施例では、ガイドアプリケーションは、無線ユーザ通信デバイス４０６用にスケールダウンされてもよい。
【００６４】
システム４００では、典型的には、各タイプのユーザ機器デバイスが１つを上回って存在するが、図面が複雑になり過ぎることを回避するために、それぞれ１つだけが図４に示されている。加えて、各ユーザは、１つを上回るタイプのユーザ機器デバイスを利用してもよく、また、各タイプのユーザ機器デバイスのうちの１つを上回るものを利用してもよい。
【００６５】
いくつかの実施形態では、ユーザ機器デバイス（例えば、ユーザテレビ機器４０２、ユーザコンピュータ機器４０４、無線ユーザ通信デバイス４０６）は、「第２の画面デバイス」と称されてもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用するように、またはソーシャルネットワークと相互作用するように構成される。第２の画面デバイスは、第１のデバイスと同一の部屋内に、第１のデバイスと異なる部屋であるが同一の家または建物内に、または、第１のデバイスと異なる建物内に位置することができる。いくつかの実施形態では、第２の画面デバイスは、第１のデバイスに口頭入力を提供し得る。いくつかの実施形態では、第２の画面デバイスは、音声認識またはＡＳＲを行うことができず、単に、ユーザから受信される発話を第１のデバイスに送信する、シンクライアントであってもよい。第１のデバイスは、第２の画面デバイスを用いて受信された発話にＡＳＲを行うための能力を含んでもよい。そのような場合、第１のデバイスは、ローカルまたは遠隔サーバであってもよい。いくつかの実施形態では、第２の画面デバイスは、受信された発話にＡＳＲを行うための完全能力を含んでもよく、さらなる処理のために、対応する単語を第１のデバイスに伝送してもよい（必要に応じて）。
【００６６】
ユーザはまた、家庭内デバイスおよび遠隔デバイスにわたって一貫したメディアガイドアプリケーション設定を維持するように、種々の設定を設定してもよい。設定は、本明細書に説明される設定、ならびに、お気に入りのチャンネルおよび番組、番組を推奨するためにガイドアプリケーションが利用する番組選好、表示選好、および他の望ましいガイド設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、所望に応じて、同一のチャンネルが、ユーザの家庭内デバイス（例えば、ユーザテレビ機器およびユーザコンピュータ機器）ならびにユーザのモバイルデバイス上でお気に入りとして表示される。したがって、同一のまたは異なるタイプのユーザ機器デバイスであるかどうかにかかわらず、１つのユーザ機器デバイス上で行われる変更は、別のユーザ機器デバイス上のガイド体験を変更することができる。さらに、行われる変更は、ユーザによる設定入力、ならびにガイドアプリケーションによって監視されるユーザ活動に基づいてもよい。
【００６７】
ユーザ機器デバイスは、通信ネットワーク４１４に結合されてもよい。すなわち、ユーザテレビ機器４０２、ユーザコンピュータ機器４０４、および無線ユーザ通信デバイス４０６は、それぞれ、通信パス４０８、４１０、および４１２を介して、通信ネットワーク４１４に結合される。通信ネットワーク４１４は、インターネット、携帯電話ネットワーク、モバイルボイスまたはデータネットワーク（例えば、４Ｇ、ＸＬＴＥ、またはＬＴＥネットワーク））、ケーブルネットワーク、公衆交換電話ネットワーク、または他のタイプの通信ネットワーク、もしくは通信ネットワークの組み合わせを含む、１つまたはそれを上回るネットワークであってもよい。パス４０８、４１０、４１２、および４１２は、別個または一緒に、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等、１つまたはそれを上回る通信パスを含んでもよい。パス４１２は、図４に示された例示的実施形態において、無線パスであることを示すように破線で描かれ、パス４０８および４１０は、有線パスであることを示すように実線で描かれている（しかし、これらのパスは、所望に応じて、無線パスであってもよい）。ユーザ機器デバイスとの通信は、これらの通信パスのうちの１つまたはそれを上回るものによって提供されてもよいが、図４では、図面が複雑になり過ぎることを回避するために、単一パスとして示されている。
【００６８】
通信パスは、ユーザ機器デバイスの間には描かれていないが、これらのデバイスは、パス４０８、４１０、および４１２に関連して上記で説明されるもの、ならびにＵＳＢケーブル、ＩＥＥＥ１３９４ケーブル、無線パス（例えば、Ｂｌｕｅｔｏｏｔｈ（登録商標）、赤外線、ＩＥＥＥ８０２−１１ｘ等）等の他の短距離ポイントツーポイント通信パス、もしくは有線または無線パスを介した他の短距離通信等の通信パスを介して、相互に直接通信してもよい。ＢＬＵＥＴＯＯＴＨ（登録商標）は、Ｂｌｕｅｔｏｏｔｈ（登録商標）  ＳＩＧ，  ＩＮＣ．によって所有される認証マークである。ユーザ機器デバイスはまた、通信ネットワーク４１４を介した間接的パスを通して、直接相互に通信してもよい。
【００６９】
システム４００は、それぞれ、通信パス４２０および４２２を介して、通信ネットワーク４１４に結合される、コンテンツソース４１６およびメディアガイドデータソース４１８を含む。パス４２０および４２２は、パス４０８、４１０、および４１２に関して上記で説明される通信パスのうちのいずれかを含んでもよい。コンテンツソース４１６およびメディアガイドデータソース４１８との通信は、１つまたはそれを上回る通信パスを介して交信されてもよいが、図４では、図面が複雑になり過ぎることを回避するために、単一パスとして示されている。加えて、コンテンツソース４１６およびメディアガイドデータソース４１８のそれぞれが１つを上回ってあってもよいが、図４では、図面が複雑になり過ぎることを回避するために、それぞれ１つだけが示されている。（これらのソースのそれぞれの異なるタイプを以下で論じる）。所望に応じて、コンテンツソース４１６およびメディアガイドデータソース４１８は、１つのソースデバイスとして統合されてもよい。ソース４１６および４１８と、ユーザ機器デバイス４０２、４０４、および４０６との間の通信は、通信ネットワーク４１４を通したものとして示されているが、いくつかの実施形態では、ソース４１６および４１８は、パス４０８、４１０、および４１２に関連して上記で説明されるもの等の通信パス（図示せず）を介して、ユーザ機器デバイス４０２、４０４、および４０６と直接通信してもよい。
【００７０】
コンテンツソース４１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つまたはそれを上回るタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース４１６は、コンテンツの発信元であってもよく（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース４１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース４１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のための、および遠隔に記憶されたコンテンツをユーザ機器に提供するためのシステムおよび方法は、全体として参照することにより本明細書に組み込まれる、２０１０年７月２０日出願のＥｌｌｉｓらの米国特許出願第７，７６１，８９２号に関連して、さらに詳細に論じられている。
【００７１】
メディアガイドデータソース４１８は、前述のメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジューリングデータおよび他のガイドデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイドデータは、複数のアナログまたはデジタルテレビチャンネル上でユーザ機器に提供されてもよい。
【００７２】
いくつかの実施形態では、メディアガイドデータソース４１８からのガイドデータは、クライアントサーバアプローチを使用して、ユーザの機器に提供されてもよい。例えば、ユーザ機器デバイスは、メディアガイドデータをサーバからプルしてもよく、またはサーバは、メディアガイドデータをユーザ機器デバイスにプッシュしてもよい。いくつかの実施形態では、ユーザの機器上に常駐するガイドアプリケーションクライアントは、必要に応じて、例えば、ガイドデータが、古くなっているとき、またはユーザ機器デバイスが、データを受信するための要求をユーザから受信するとき、ソース４１８とセッションを開始し、ガイドデータを取得してもよい。メディアガイドは、任意の好適な頻度で（例えば、継続的に、毎日、ユーザ指定期間で、システム指定期間で、ユーザ機器からの要求に応じて等）ユーザ機器に提供されてもよい。メディアガイドデータソース４１８は、ユーザ機器デバイス４０２、４０４、および４０６に、メディアガイドアプリケーション自体、またはメディアガイドアプリケーションのソフトウェア更新を提供してもよい。
【００７３】
メディアガイドアプリケーションは、例えば、ユーザ機器デバイス上に実装される独立型アプリケーションであってもよい。例えば、メディアガイドアプリケーションは、記憶３０８内に記憶され、ユーザ機器デバイス３００の制御回路３０４によって実行され得る、ソフトウェアまたはセットの実行可能命令として実装されてもよい。いくつかの実施形態では、メディアガイドアプリケーションは、クライアント−サーバアプリケーションであってもよく、その場合、クライアントアプリケーションのみ、ユーザ機器デバイス上に常駐し、サーバアプリケーションは、遠隔サーバ上に常駐する。例えば、メディアガイドアプリケーションは、部分的に、ユーザ機器デバイス３００の制御回路３０４上のクライアントアプリケーションとして、および部分的に遠隔サーバ上で、遠隔サーバの制御回路上で起動するサーバアプリケーションとして（例えば、メディアガイドデータソース４１８）、実装されてもよい。遠隔サーバの制御回路（例えば、メディアガイドデータソース４１８）によって実行されると、メディアガイドアプリケーションは、制御回路に、ガイドアプリケーション表示を生成し、生成された表示をユーザ機器デバイスに伝送するように命令してもよい。サーバアプリケーションは、メディアガイドデータソース４１８の制御回路に、ユーザ機器上での記憶のためのデータを伝送するように命令してもよい。クライアントアプリケーションは、受信用ユーザ機器の制御回路に、ガイドアプリケーション表示を生成し、口頭入力を処理するように命令してもよい。
【００７４】
ユーザ機器デバイス４０２、４０４、および４０６に配信されるコンテンツおよび／またはメディアガイドデータは、オーバーザトップ（ＯＴＴ）コンテンツであってもよい。ＯＴＴコンテンツ配信は、前述の任意のユーザ機器デバイスを含む、インターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に関与していなくてもよく、ＯＴＴコンテンツプロバイダによって提供されるＩＰパケットのみ転送してもよい。ＯＴＴコンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅは、Ｇｏｏｇｌｅ  Ｉｎｃ．によって所有される商標であり、Ｎｅｔｆｌｉｘは、Ｎｅｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、前述のメディアガイドデータを提供してもよい。コンテンツおよび／またはメディアガイドデータに加え、ＯＴＴコンテンツのプロバイダは、メディアガイドアプリケーション（例えば、ウェブベースのアプリケーションまたはクラウドベースのアプリケーション）を配信することができ、またはコンテンツは、ユーザ機器デバイス上に記憶されるメディアガイドアプリケーションによって表示されることができる。
【００７５】
メディアガイドシステム４００は、いくつかのアプローチまたはネットワーク構成を例証することを意図しており、これによって、ユーザ機器デバイスならびにコンテンツおよびガイドデータのソースは、コンテンツにアクセスし、メディアガイドを提供する目的で、相互に通信してもよい。本明細書に説明される実施形態は、これらのアプローチの任意の１つまたは一部において、またはコンテンツを配信し、メディアガイドを提供するための他のアプローチを採用するシステムにおいて、適用されてもよい。以下の４つのアプローチは、図４の一般化された実施例の具体的例証を提供する。
【００７６】
あるアプローチでは、ユーザ機器デバイスは、ホームネットワーク内で相互に通信してもよい。ユーザ機器デバイスは、上記で説明される短距離ポイントツーポイント通信方式を介して、ホームネットワーク上に提供されるハブまたは他の類似デバイスを通した間接パスを介して、もしくは通信ネットワーク４１４を介して、直接相互に通信することができる。１つの家庭内の複数の個人のそれぞれが、ホームネットワーク上の異なるユーザ機器デバイスを操作してもよい。結果として、種々のメディアガイド情報または設定が、異なるユーザ機器デバイス間で伝達されることが望ましくてもよい。例えば、２００５年７月１１日出願のＥｌｌｉｓらの米国特許出願第１１／１７９，４１０号でさらに詳細に説明されているように、ホームネットワーク内の異なるユーザ機器デバイス上で、ユーザが一貫したメディアガイドアプリケーション設定を維持することが望ましくてもよい。ホームネットワーク内の異なるタイプのユーザ機器デバイスがまた、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００７７】
第２のアプローチでは、ユーザは、複数のタイプのユーザ機器を有してもよく、これによって、コンテンツにアクセスし、メディアガイドを取得する。例えば、一部のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、その全体を参照することにより本明細書に組み込まれる、Ｅｌｌｉｓらの２０１１年１０月２５日発行の米国特許第８，０４６，８０１号で論じられている。
【００７８】
第３のアプローチでは、家庭内外のユーザ機器デバイスのユーザは、コンテンツソース４１６と直接通信し、コンテンツにアクセスするために、そのメディアガイドアプリケーションを使用することができる。具体的には、家庭内では、ユーザテレビ機器４０２およびユーザコンピュータ機器４０４のユーザは、メディアガイドアプリケーションにアクセスし、所望のコンテンツ間をナビゲートし、それを特定してもよい。ユーザはまた、無線ユーザ通信デバイス４０６を使用して、家庭外のメディアガイドアプリケーションにアクセスし、所望のコンテンツ間をナビゲートし、それを特定してもよい。
【００７９】
第４のアプローチでは、ユーザ機器デバイスは、クラウドコンピューティング環境内で操作し、クラウドサービスにアクセスしてもよい。クラウドコンピューティング環境では、コンテンツ共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、ネットワーク（例えば、通信ネットワーク４１４を介するインターネット等）を介して接続される、種々のタイプのユーザおよびデバイスにクラウドベースのサービスを提供する、中央または分散場所に位置し得る、サーバコンピューティングデバイスの集合を含むことができる。これらのクラウドリソースは、１つまたはそれを上回るコンテンツソース４１６および１つまたはそれを上回るメディアガイドデータソース４１８を含んでもよい。加えて、または代替として、遠隔コンピューティングサイトは、ユーザテレビ機器４０２、ユーザコンピュータ機器４０４、および無線ユーザ通信デバイス４０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア様式で操作してもよい。
【００８０】
クラウドは、ユーザ機器デバイスのために、他の実施例の中でもとりわけ、コンテンツ記憶、コンテンツ共有、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上の他者によって視聴するために配信される。これらのクラウドベースのサービスは、ユーザ機器デバイスが、コンテンツをローカルに記憶し、ローカルに記憶されたコンテンツにアクセスするのではなく、コンテンツをクラウドに記憶し、コンテンツをクラウドから受信することを可能にしてもよい。
【００８１】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器４０４から、またはコンテンツ捕捉特徴を有する、無線ユーザ通信デバイス４０６からのいずれかにおいて、クラウド上のコンテンツ記憶サービスにコンテンツをアップロードすることができる。代替として、ユーザは、最初に、コンテンツをユーザコンピュータ機器４０４等のユーザ機器デバイスに転送することができる。コンテンツを記憶するユーザ機器デバイスは、通信ネットワーク４１４上のデータ伝送サービスを使用して、コンテンツをクラウドにアップロードしてもよい。いくつかの実施形態では、ユーザ機器デバイス自体が、クラウドリソースであって、他のユーザ機器デバイスが、直接、ユーザがコンテンツを記憶したユーザ機器デバイスから、コンテンツにアクセスすることができる。
【００８２】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のために、クラウドコンピューティングに依拠する、クラウドクライアントであってもよく、またはユーザ機器デバイスは、クラウドリソースにアクセスせずに、いくつかの機能性を有してもよい。例えば、ユーザ機器デバイス上で起動するいくつかのアプリケーションは、クラウドアプリケーション、すなわち、インターネットを経由して、サービスとして配信されるアプリケーションであってもよい一方、他のアプリケーションは、ユーザ機器デバイス上に記憶され、起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方、コンテンツを第２のクラウドリソースからダウンロードすることができる。または、ユーザデバイスは、より効率的なダウンロードのために、コンテンツを複数のクラウドリソースからダウンロードすることができる。いくつかの実施形態では、ユーザ機器デバイスは、図３に関連して説明される処理回路によって行われる処理操作等の処理操作のために、クラウドリソースを使用することができる。
【００８３】
図７は、本開示のいくつかの実施形態による、同音異字の存在下でＡＳＲを行うためのプロセス７００の略図である。ステップ７１０では、複数の発話を含む、ユーザからの口頭入力が、受信される。例えば、マイクロホンは、ユーザから、語句「Ｄｕｋｅ  ｖ．  Ｕｃｏｎｎ」を含む、口頭入力を受信してもよい。
【００８４】
ステップ７２０では、複数の発話のうちの１つが、選択される。例えば、制御回路３０４は、「Ｄｕｋｅ」に対応する発話を選択してもよい。
【００８５】
ステップ７３０では、音素シーケンスが、選択された発話のために生成される。例えば、音素エンコーダは、「Ｕｃｏｎｎ」に対応する発話をエンコードし、発話を音素シーケンス
【化８】
0006684231.tif 000009
として表してもよい。
【００８６】
ステップ７４０では、音素シーケンスは、データベースと相互参照され、音素シーケンスに対応する単語のセットを識別する。例えば、制御回路３０４は、音素シーケンス／ｄｕｋ／とデータベース６００（図６）とを相互参照し、音素シーケンスに対応する単語のセットを識別する。例えば、単語のセットは、音素シーケンス／ｄｕｋ／に合致する、１つの単語「ｄｕｋｅ」を含んでもよい。同様に、制御回路３０４は、音素シーケンス
【化９】
0006684231.tif 000010
とデータベース６００（図６）とを相互参照し、音素シーケンスに対応する単語のセットを識別してもよい。例えば、単語のセットは、音素シーケンス
【化１０】
0006684231.tif 000011
に合致する、２つの単語「Ｙｕｋｏｎ」および「Ｕｃｏｎｎ」を含んでもよい。
【００８７】
ステップ７５０では、付加的発話が残っているかどうかに関して判定が行われる。付加的発話が残っていることの判定に応答して、プロセスは、ステップ７２０に進み、そうでなければ、プロセスは、ステップ７６０に進む。
【００８８】
ステップ７６０では、発話毎に各単語のセットから１つの単語を含む、組み合わせが、生成される。例えば、制御回路３０４は、単語「ｄｕｋｅ」と「Ｙｕｋｏｎ」を含む１つの組み合わせおよび単語「ｄｕｋｅ」と「ｕｃｏｎｎ」を含む別の組み合わせを生成してもよい。
【００８９】
ステップ７７０では、生成された組み合わせのうちの１つが、選択される。
【００９０】
ステップ７８０では、選択された組み合わせ内の単語間の距離が、知識グラフを使用して算出される。例えば、制御回路３０４は、「ｄｕｋｅ」と「Ｙｕｋｏｎ」の組み合わせ内の単語間の距離を「５」と算出してもよい。同様に、制御回路３０４は、「ｄｕｋｅ」と「ｕｃｏｎｎ」の組み合わせ内の単語間の距離を「２」と算出してもよい。
【００９１】
ステップ７９０では、付加的組み合わせが残っているかどうかに関して判定が行われる。付加的組み合わせが残っていることの判定に応答して、プロセスは、ステップ７７０に進み、そうでなければ、プロセスは、ステップ７９２に進む。
【００９２】
ステップ７９２では、各組み合わせの算出された距離が、比較される。
【００９３】
ステップ７９４では、最小距離を有する単語の組み合わせが、ユーザ意図入力として処理される。例えば、制御回路３０４は、距離が、単語の組み合わせが相互により関連することを示す、「５」未満の「２」であるため、単語「ｄｕｋｅ」と「ｕｃｏｎｎ」の組み合わせを選択してもよい。制御回路３０４は、選択された組み合わせを使用してメディアガイド機能を行ってもよい（例えば、検索または推奨を行う）。具体的には、ユーザから語句「Ｄｕｋｅ  ｖ．  Ｕｃｏｎｎ」を伴う口頭入力の受信に応答して、制御回路３０４は、語句内の用語「ｕｃｏｎｎ」が、複数の単語に音声学的に合致する同音異字であっても、ユーザからさらなる入力を伴わずに、これらの２つの学校をともに特徴とする全試合を出力してもよい。
【００９４】
本開示の前述の実施形態は、限定ではなく、例証目的のために提示され、本開示は、以下の請求項によってのみ限定される。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われてもよい。また、上記で説明されるシステムおよび／または方法は、他のシステムおよび／または方法に適用され、またはそれらに従って使用され得ることにも留意されたい。
【図１】
0006684231.tif 000012
【図２】
0006684231.tif 000013
【図３】
0006684231.tif 000014
【図４】
0006684231.tif 000015
【図５】
0006684231.tif 000016
【図６】
0006684231.tif 000017
【図７】
0006684231.tif 000018